(57)【特許請求の範囲】
【請求項１】
遊技球が流下する遊技領域を前面に備えた遊技板と、
前記遊技板の前面のうち前記遊技領域の一側部で上下方向に延びた発射通路と、
前記遊技板の後面に取り付けられた裏側筐体と、を備え、
遊技球が前記発射通路を通過して遊技領域の上端部に打ち込まれる遊技機において、
前記遊技板は少なくとも一部が透明な部材で構成され、
前記遊技板のうち前記発射通路の後側には、少なくとも一部が前方から透視可能で板厚を異ならせる段差部が備えられ、
前記裏側筐体は、囲壁を有することで前面開放の箱形構造をなし、
前記囲壁の前面の少なくとも一部を前方から覆い、前記遊技板を通して透視可能な装飾部材を前記囲壁の前面と前記遊技板の後面との間に備えたことを特徴とする遊技機。
【請求項２】
前記遊技板の後面には、前記遊技領域の裏側部分を含む領域を、その周辺領域よりも後方に段付き状に突出させてなる丘陵部が備えられ、
前記丘陵部とその周辺領域との境界部分が前記段差部になっていることを特徴とする請求項１に記載の遊技機。
【請求項３】
前記段差部は、前記遊技板の前面に対して傾斜していることを特徴とする請求項２に記載の遊技機。
【請求項４】
前記遊技板の外縁には、前記丘陵部よりも後方に突出した外縁突壁が備えられていることを特徴とする請求項２又は３に記載の遊技機。
【請求項５】
前記段差部に対して後方から前記装飾部材が重ねられていることを特徴とする請求項３又は４に記載の遊技機。
【請求項６】
前記遊技板の後側には、前記段差部に側方から光を照射する発光手段が備えられていることを特徴とする請求項１乃至５の何れか１の請求項に記載の遊技機。
【請求項７】
前記裏側筐体の前記囲壁の前面と前記遊技板の後面との少なくとも一方から突出して他方に突き当り、前記囲壁の前面と前記遊技板の後面との間に隙間を形成する複数の突当突起を備え、
前記装飾部材は、前記隙間内に配されていることを特徴とする請求項１乃至６の何れか１の請求項に記載の遊技機。
【発明の詳細な説明】
【技術分野】
【０００１】
本発明は、遊技球が流下する遊技領域を前面に備えた遊技板を有する遊技機に関する。
【背景技術】
【０００２】
この種の遊技機は、一般に遊技領域の一側方に上下方向に延びた発射通路を備えていて、遊技領域の下方側から発射された遊技球が発射通路を通って遊技領域の上部に案内される（例えば、特許文献１参照）。
【先行技術文献】
【特許文献】
【０００３】
【特許文献１】特開２００８−２００１７２号公報（段落［００２２］、図４）
【発明の概要】
【発明が解決しようとする課題】
【０００４】
しかしながら、発射通路には、遊技球の通過の妨げになるものを設けることができないので、発射通路の装飾性が乏しいという問題があった。
【０００５】
本発明は、上記事情に鑑みてなされたもので、発射通路の装飾性を高くすることが可能な遊技機の提供を目的とする。
【課題を解決するための手段】
【０００６】
上記目的を達成するためになされた請求項１の発明は、遊技球が流下する遊技領域を前面に備えた遊技板と、前記遊技板の前面のうち前記遊技領域の一側部で上下方向に延びた発射通路と、前記遊技板の後面に取り付けられた裏側筐体と、を備え、遊技球が前記発射通路を通過して遊技領域の上端部に打ち込まれる遊技機において、前記遊技板は少なくとも一部が透明な部材で構成され、前記遊技板のうち前記発射通路の後側には、少なくとも一部が前方から透視可能で板厚を異ならせる段差部が備えられ、前記裏側筐体は、囲壁を有することで前面開放の箱形構造をなし、前記囲壁の前面の少なくとも一部を前方から覆い、前記遊技板を通して透視可能な装飾部材を前記囲壁の前面と前記遊技板の後面との間に備えたことを特徴とする遊技機である。
【０００７】
本発明では、発射通路に立体的な段差部が重ね合わされることで装飾性が高くなり、しかも、その段差部が遊技板の後面に設けられているので遊技球の通過の妨げにもならない。また、段差部を、発射通路に沿って延びている構成とした場合、発射通路を通過する遊技球の軌道のように見せることができ、この点においても、発射通路の装飾性を高くすることが可能となる。
【０００８】
請求項２の発明は、前記遊技板の後面には、前記遊技領域の裏側部分を含む領域を、その周辺領域よりも後方に段付き状に突出させてなる丘陵部が備えられ、前記丘陵部とその周辺領域との境界部分が前記段差部になっていることを特徴とする請求項１に記載の遊技機である。
【０００９】
本発明によれば、遊技板の後面の丘陵部は、遊技領域の裏側部分を含む領域を段付き状に突出させてなり、板厚が厚くなっているので、遊技領域内の障害釘や役物を取り付ける螺子を深く打ち込んだり、ねじ込むことができ、それらの支持が強固になる。そして、そのような丘陵部の段差部が発射通路の装飾に流用されているので、丘陵部の有効利用を図ることが可能となる。
【００１０】
請求項３の発明は、前記段差部は、前記遊技板の前面に対して傾斜していることを特徴とする請求項２に記載の遊技機である。
【００１１】
この構成によれば、傾斜した段差部によって光を屈曲させて、装飾性を高めることが可能となる。
【００１２】
請求項４の発明は、前記遊技板の外縁には、前記丘陵部よりも後方に突出した外縁突壁が備えられていることを特徴とする請求項２又は３に記載の遊技機である。
請求項５の発明は、前記段差部に対して後方から装飾部材が重ねられていることを特徴とする請求項３又は４に記載の遊技機である。
【００１３】
この構成によれば、段差部と装飾部材との融合により、装飾性をより一層高くすることが可能となる。
【００１６】
請求項６の発明は、前記遊技板の後側には、前記段差部に側方から光を照射する発光手段が備えられていることを特徴とする請求項１乃至５の何れか１の請求項に記載の遊技機である。
【００１７】
この構成によれば、段差部を発光した帯のように見せることができ、装飾性をより一層高くすることが可能となる。
【００１８】
請求項７の発明は、前記裏側筐体の前記囲壁の前面と前記遊技板の後面との少なくとも一方から突出して他方に突き当り、前記囲壁の前面と前記遊技板の後面との間に隙間を形成する複数の突当突起を備え、前記装飾部材は、前記隙間内に配されていることを特徴とする請求項１乃至６の何れか１の請求項に記載の遊技機である。
【発明の効果】
【００２０】
本発明によれば、少なくとも一部が透明な部材で構成された遊技板のうち発射通路の後側に、少なくとも一部が前方から透視可能で板厚を異ならせる段差部を備えたことで、発射通路の装飾性を向上させることが可能となる。
【図面の簡単な説明】
【００２１】
【図１】本発明の第１実施形態に係るパチンコ遊技機の正面図
【図２】遊技板の正面図
【図３】裏側筐体の斜視図
【図４】裏側筐体の斜視図
【図５】遊技板、外縁装飾部材及び裏側筐体の前方分解斜視図
【図６】外縁装飾部材の後方斜視図
【図７】遊技板の背面図
【図８】遊技板における段差部付近の平断面図
【図９】遊技板と裏側筐体との側断面図
【発明を実施するための形態】
【００２２】
以下、本発明を適用したパチンコ遊技機１０（本発明の「遊技機」に相当する。）に係る一実施形態を、図１〜図９に基づいて説明する。図１に示すように、パチンコ遊技機１０は、前面が前面枠１０Ｚにて覆われており、その前面枠１０Ｚに形成されたガラス窓１０Ｗを通して遊技板１１の遊技領域Ｒ１が視認可能になっている。
【００２３】
前面枠１０Ｚのうちガラス窓１０Ｗより下方には、上皿２６及び下皿２７が上下２段にして設けられ、下皿２７の右側には操作ノブ２８が設けられている。操作ノブ２８を回動操作すると、上皿２６に収容された遊技球が遊技領域Ｒ１に向けて弾き出される。
【００２４】
図２に示すように、遊技領域Ｒ１には、始動入賞口１４Ａ，１４Ｂと大入賞口１５，１７とが備えられ、始動入賞口１４Ａ，１４Ｂに遊技球が入球すると当否判定が行われる。当否判定の結果は、後述する表示画面３０Ｇにて、その結果に基づいた演出と共に表示される。大入賞口１５，１７は、通常は、可動扉１５Ｔ，１７Ｔにより閉塞され遊技球が入球困難な状態になっていて、上記当否判定の結果が当りとなったときに開放されて遊技球が入球可能な状態となる。また、各種入賞口に遊技球が入球すると、賞球が上皿２６に払い出される。
【００２５】
遊技領域Ｒ１は、遊技板１１の前面より前方に突出したガイドレール１２によって囲まれている。ガイドレール１２は、帯状の金属板を円弧状に湾曲させてなる第１レール１２Ａと、樹脂製の第２レール１２Ｂ及び第３レール１２Ｃとからなる。
【００２６】
第１レール１２Ａは、遊技板１１の外縁部における下辺の左端部寄り位置と、左辺の中央位置と、上辺の中央位置と、右上角部近傍の右辺寄り位置とを繋げる円弧状をなして延びている。第２レール１２Ｂは、遊技板１１の外縁部の下辺中央部より上方に離れた位置から遊技板１１の左上角部近傍で第１レール１２Ａより内側に遊技球１つ分ずれた位置まで、第１レール１２Ａに沿った円弧状をなして延びている。なお、第２レール１２Ｂには、下端寄り位置から遊技板１１の下辺部に向かって第２レール１２Ｂの円弧の接線方向に延びた分岐レール１２Ｘが一体に備えられている。
【００２７】
また、第３レール１２Ｃは、遊技板１１の外縁部の下辺と右辺とに沿って延びて、その下辺に沿った部分の先端が第２レール１２Ｂの始端部に接合される一方、右辺に沿った部分の上側が第１レール１２Ａの終端部に接合されている。
【００２８】
これらガイドレール１２のうち第２レール１２Ｂと第３レール１２Ｃ及び第１レール１２Ａの上辺部分とに囲まれた領域が遊技領域Ｒ１に相当し、第１レール１２Ａと第２レール１２Ｂとの間、つまり遊技領域Ｒ１の左側部で上下方向に延びた領域が、本発明の発射通路１３に相当する。
【００２９】
図２に示すように、遊技板１１のうち遊技領域Ｒ１の中央には、演出窓１０Ｈが貫通形成されている。そして、この演出窓１０Ｈを通して、表示装置３０の表示画面３０Ｇが前方に臨んでいる。詳細には、遊技板１１の後面には、図３に示す裏側筐体４０が固定されていて、表示装置３０は、この裏側筐体４０に取り付けられることで、演出窓１０Ｈの後方に配されている。
【００３０】
裏側筐体４０は、遊技板１１の後面と対向した主板壁４１と、その外縁部から前方に起立した囲壁４２とを有し、前面開放の箱形構造をなしている。そして、囲壁４２の前端縁を遊技板１１の後面の外縁部に突き当てた状態で遊技板１１と裏側筐体４０とがネジ止めされて固定されている。なお、主板壁４１の上部には四角形の貫通孔４１Ａが形成されていて、表示装置３０は表示画面３０Ｇによって貫通孔４１Ａを閉塞するように固定されている。
【００３１】
図３に示すように、囲壁４２の左辺部の前端には、外方へ張り出した前端壁４２Ｚが形成されていて、この前端壁４２Ｚの上下両端部には、前方に突出した突当突起４２Ｔが形成されている。なお、前端壁４２Ｚの両側端部には僅かに前方に突出した側壁４２Ｓ，４２Ｓが設けられていて、前端壁４２Ｚと側壁４２Ｓ，４２Ｓとから浅い溝部４２Ｍが構成されている。また、図８に示すように、遊技板１１の後面のうち左辺部分には、この突当突起４２Ｔを受容するための受容凹部１１Ｕが形成されていて、これら突当突起４２Ｔと受容凹部１１Ｕとにより、裏側筐体４０が遊技板１１に対して位置決めされる。ここで、前端壁４２Ｚから突出した突当突起４２Ｔが遊技板１１の後面の一部である受容凹部１１Ｕの底部に突き当たることで、前端壁４２Ｚの前面と遊技板１１の後面との間に隙間Ｓが生じている（図９参照）。
【００３２】
また、裏側筐体４０の内部には、装飾用の部材が複数取り付けられ、その一部が演出窓１０Ｈから視認可能となっている。例えば、裏側筐体４０の内側のうち右側辺には羽根を象った右側装飾部材４５が設けられていて、この右側装飾部材４５が演出窓１０Ｈから視認される（図２及び図４参照）。
【００３３】
ここで、本実施形態のパチンコ遊技機１０では、遊技板１１が透明樹脂により構成されていて、遊技板１１を通して、その後方が透視可能となっている。例えば、図４に示すように、裏側筐体４０の内側のうち演出窓１０Ｈよりも下方の領域には、下側装飾部材４６が備えられていて、前方から透視される。
【００３４】
また、図７及び図８に示すように、遊技板１１の後面には、遊技領域Ｒ１の裏側部分を含む領域を、その周辺領域よりも後方に段付き状に突出させてなる丘陵部１１Ｋが備えられている。遊技板１１のうち丘陵部１１Ｋを備えている部分は、板厚が厚くなっているので、遊技領域Ｒ１内の障害釘や役物を取り付けるネジを深く打ち込んだり、ネジ込むことができ、それらの支持が強固になる。つまり、遊技板１１のうち丘陵部１１Ｋを備えている部分は、少なくとも障害釘を打ちつけ可能な厚さを有している。そして、この丘陵部１１Ｋとその周辺領域（周縁部１１Ｅ）との段差部１１Ｄは、遊技板１１の前面に対して傾斜していて、発射通路１３に沿って円弧状に延びている。
【００３５】
なお、遊技板１１の外縁には、丘陵部１１Ｋよりも後方に突出した外縁突壁１１Ｆが備えられている。この外縁突壁１１Ｆは、透明樹脂により構成された遊技板１１の強度を保ったり、透明樹脂でない従来からあるべニアの遊技板との厚みの整合性（例えば１９ｍｍ）を取る役割を有している。また、遊技板１１全体を、遊技板１１のうち丘陵部１１Ｋを備えている部分と同じ厚みにするのではなく、段差部１１Ｄを介して周縁部１１Ｅから丘陵部１１Ｋが突出した構成とすることで、周縁部１１Ｅの厚みを減らすことができ、樹脂容量を抑えることが可能となると共に、多量の樹脂による成形収縮によって生じるひけ（へこみ等）の発生を抑制することも可能となる。
【００３６】
また、遊技板１１を全体か一部かに拘わらず透明にすることにより、遊技板１１の外縁部（段差部１１Ｄの周縁部１１Ｅ（図７参照））が透明になると、下側装飾部材４６等で飾り付けられた裏側筐体４０の内部に比べて何も装飾されておらず遊技板１１に取り付けられるためだけの殺風景な裏側筐体４０の外縁部が見えてしまい、興醒め感を抱かせて趣向性を低下させる虞があるが、本実施形態のパチンコ遊技機１０では、裏側筐体４０の外縁部である前端壁４２Ｚと遊技板１１との間に外縁装飾部材５０が備えられている（図５参照）。
【００３７】
図６に示すように、外縁装飾部材５０は、細長い透明樹脂板に装飾が施された第１及び第２の装飾部材５０Ａ，５０Ｂからなる。なお、第１の外縁装飾部材５０Ａの下端辺と第２の外縁装飾部材５０Ｂの上端辺とは互いに当てはまるように湾曲している。これら第１及び第２の外縁装飾部材５０Ａ，５０Ｂは、上下に並んだ状態で、裏側筐体４０の前端壁４２Ｚのうち２つの突当突起４２Ｔ，４２Ｔの間、つまり、前端壁４２Ｚと遊技板１１との間の隙間Ｓ（図９参照）に配されている。これにより遊技板１１及び外縁装飾部材５０が擦れ合うことが防がれる。また、図２に示すように、第１及び第２の外縁装飾部材５０Ａ，５０Ｂは、遊技板１１を裏側筐体４０に重ねた状態では、発射通路１３の後方（段差部１１Ｄの後方）に位置している。
【００３８】
なお、第１及び第２の装飾部材５０Ａ，５０Ｂは、第１及び第２の装飾部材５０Ａ，５０Ｂの後面における上下方向の両端部に形成された筒部５０Ｈ（図６参照）に、前端壁４２Ｚから突出したネジ孔突起４２Ｊ（図３参照）を受容させることで位置決めされ、この状態で前方からネジ止めされて前端壁４２Ｚに強固に固定されている。また、第１及び第２の装飾部材５０Ａ，５０Ｂの後面には、２つの筒部５０Ｈ，５０Ｈの間で延びた突条５０Ｔ（図６参照）が形成されていて、第１や第２の装飾部材５０Ａ，５０Ｂの強度が強化されると共に、第１及び第２の装飾部材５０Ａ，５０Ｂを裏側筐体４０に当てはめた際に突条５０Ｔが裏側筐体４０の溝部４２Ｍに受容されることによっても位置決めが可能になる。
【００３９】
本実施形態のパチンコ遊技機１０の構成に関する説明は以上である。次に、このパチンコ遊技機１０の作用効果について説明する。パチンコ遊技機１０では、操作ノブ２８が回動操作されると、弾き出された遊技球が発射通路１３を通過して遊技領域Ｒ１へと向かう。ここで、本実施形態のパチンコ遊技機１０では、発射通路１３に立体的な段差部１１Ｄが重ね合わされているので装飾性が高くなり、しかも、その段差部１１Ｄが遊技板１１の後面に設けられているので遊技球の通過の妨げにもならない。また、段差部１１Ｄは、発射通路１３に沿って延びているので、発射通路１３を通過する遊技球の軌道のように見せることができ、この点においても、発射通路１３の装飾性を高くすることが可能となる。しかも、遊技板１１に障害釘や役物を取り付けるための丘陵部１１Ｋの段差部１１Ｄが発射通路の装飾に流用されているので、丘陵部１１Ｋの有効利用を図ることが可能となる。
【００４０】
さらに、段差部１１Ｄに対して後方から外縁装飾部材５０が重ねられているので、外縁装飾部材５０が屈曲して見え、段差部１１Ｄと外縁装飾部材５０との融合により、装飾性をより一層高くすることが可能となる。また、この外縁装飾部材５０は、裏側筐体４０の前端壁４２Ｚに設けられているので、遊技板１１に取り付けられるためだけの殺風景な裏側筐体４０の外縁部がそのまま見えてしまう虞を軽減することもできる。
【００４１】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４２】
（１）上記実施形態では、パチンコ遊技機１０に本発明を適用していたが、遊技機であれば、コイン遊技機やスロットマシン等に適用してもよい。
【００４３】
（２）遊技板１１は、全体が透明であってもよいし、前面又は後面にペイントが施される等して一部のみが透明であってもよい。例えば、段差部１１Ｄに沿って又は段差部１１Ｄに、ペイントが施された場合、段差部１１Ｄとペイントとの融合により、装飾性をより一層高くすることが可能となる。
【００４４】
（３）例えば、遊技板１１の後側に、段差部１１Ｄに側方から光を照射する発光手段を備えてもよい。この構成にすれば、段差部１１Ｄを発光した帯のように見せることができ、装飾性をより一層高くすることが可能となる。
【００４５】
（４）上記実施形態では、本発明の「段差部」が、遊技板１１の後面の丘陵部１１Ｋとその周辺領域との境界部分であったが、丘陵部１１Ｋを設けずに、発射通路１３の後方に突条を設けて「段差部」を形成する構成であってもよい。
【００４６】
（５）上記実施形態では、外縁装飾部材５０が遊技板１１と裏側筐体４０との間に配される際に裏側筐体４０側に固定されていたが、遊技板１１側に固定されていてもよい。また、遊技板１１の後面と裏側筐体４０の前端部との間で挟み付けられて固定される構成であってもよい。
【符号の説明】
【００４７】
１０    パチンコ遊技機（遊技機）
１１    遊技板
１１Ｄ    段差部
１１Ｋ    丘陵部
１３    発射通路
【要約】
【課題】発射通路の装飾性を高くすることが可能な遊技機の提供を目的とする。
【解決手段】本発明のパチンコ遊技機１０では、遊技板１１が透明樹脂により構成されていて、遊技板１１を通して、その後方が透視可能となっている。そして、遊技板１１の後面には、遊技領域Ｒ１の裏側部分を含む領域を、その周辺領域よりも後方に段付き状に突出させてなる丘陵部１１Ｋが備えられていて、丘陵部１１Ｋと周辺領域との段差部１１Ｄは、遊技板１１の前面に対して傾斜していて、発射通路１３に沿って円弧状に延びている。
【選択図】図７【図１】
0005963065.tif 000002
【図２】
0005963065.tif 000003
【図３】
0005963065.tif 000004
【図４】
0005963065.tif 000005
【図５】
0005963065.tif 000006
【図６】
0005963065.tif 000007
【図７】
0005963065.tif 000008
【図８】
0005963065.tif 000009
【図９】
0005963065.tif 000010